(57)【要約】【課題】本発明は、スピーカボックスをシール性向上のために用いられるシール部材を介して筐体に連結することで、スピーカからの音響出力により生じる振動が筐体に伝導されることを抑制可能な音響出力装置を提供することを目的とする。【解決手段】クレードル３は、筐体６００と、筐体６００の内部に配置される共に、音出力面５５０を有するスピーカ５４９とスピーカ５４９を音出力面５５０が露出するように収容するスピーカボックス５００とを備える。そして、スピーカボックス５００は、第１ケース部材５１０と、シール部材５３０と、シール部材５３０を間に挟んで第１ケース部材５１０と一体的に結合される第２ケース部材５２０とを有すると共に、シール部材５３０が筐体６００に連結されることで筐体６００と連結される。【選択図】図６
2008252362.tif 000002
【特許請求の範囲】
【請求項１】
筐体と、
前記筐体の内部に配置される共に、音出力面を有するスピーカと前記スピーカを前記出力面が露出するように収容するボックス部材とを有するスピーカボックスと、を備え、
前記ボックス部材は、
第１ケース部材と、シール部材と、前記シール部材を間に挟んで前記第１ケース部材と一体的に結合される第２ケース部材とを有すると共に、
前記シール部材が前記筐体に連結されることで該筐体と連結される
ことを特徴とする音響出力装置。
【請求項２】
前記シール部材は、前記第１ケース部材と前記第２ケース部材との少なくとも一方を構成する材料よりも制振性が高い材料で構成される
請求項１に記載の音響出力装置。
【請求項３】
前記第１ケース部材と前記第２ケース部材とは、互いに脱離可能に結合される
請求項１又は２に記載の音響出力装置。
【請求項４】
前記シール部材は、前記ボックス部材の外部に延出する延出部を有すると共に、前記延出部において前記筐体と連結される
請求項１から３のいずれか１項に記載の音響出力装置。
【請求項５】
前記第１ケース部材における前記シール部材に当接する第１当接面は、該第１当接面と平行な方向に窪んだ第１凹部を有し、
前記第２ケース部材における前記シール部材に当接する第２当接面は、該第２当接面と平行な方向に窪み、該第２ケース部材が前記第１ケース部材と結合された状態において前記第１凹部に対応するように形成される第２凹部を有し、
前記シール部材は、前記第１凹部と第２凹部とにより形成される前記ボックス部材の外面から延出する延出部を有すると共に、前記延出部において前記筐体と連結される
請求項１から３のいずれか１項に記載の音響出力装置。
【発明の詳細な説明】
【技術分野】
【０００１】
本発明は、スピーカボックスが筐体内部に収容された音響出力装置に関する。
【背景技術】
【０００２】
近年、携帯電話機を利用して音楽を聴く機会が増えている。例えば、携帯電話機にイヤホーンを接続して音楽を聴くことに加えて、携帯電話機に配置されるスピーカから音を放音させて音楽を聴く機会が増えている。更には、携帯電話機を携帯した状態で音楽を聴くことに加え、室内で該携帯電話機に収納されるバッテリを充電するためのクレードルに載置した状態で音楽を聴く機会も増えている。
【０００３】
ここで、携帯電話機（通信機器本体）が載置されるクレードル装置であって、スピーカを配置して音響出力が可能の構成されたクレードル装置が提案されている。（例えば、特許文献１参照）。このクレードル装置における筐体の内部には、スピーカを有するスピーカボックスが配置されている。
【０００４】
また、クレードル装置の筐体内部に配置されるスピーカボックスは、密閉性を高めて音漏れや空気漏れを抑制する必要がある。従来は、スピーカボックスを構成する複数の部材同士を接着剤や超音波を利用した溶着により結合することでシール性を確保していた。
【０００５】
しかし、このような態様で複数の部材を結合した場合、スピーカボックスの組み立ての作業負担が増加する場合があった。また、スピーカボックス内部のスピーカ等を取り出す場合には、複数の部材同士の結合部分を壊して分離する必要があった。
【０００６】
これに対し、スピーカケースとフロントパネルとの間にシール部材を配置してスピーカボックスを製作することで、組み立てが容易でシール性が確保されたスピーカボックスが提案されている（例えば、特許文献２参照）、
【特許文献１】特開２００３−０３２３５１号公報
【特許文献２】実開平０６−００２８８５号公報
【発明の開示】
【発明が解決しようとする課題】
【０００７】
しかし、このスピーカボックスは、筐体に直接連結されて筐体内部に収容されるので、スピーカからの音響出力により生じた振動がスピーカボックスを介して筐体に伝導される場合がある。これにより、筐体からいわゆる箱鳴りやビビリ音等が発生する場合がある。
【０００８】
本発明は、スピーカボックスをシール性向上のために用いられるシール部材を介して筐体に連結することで、スピーカからの音響出力により生じる振動が筐体に伝導されることを抑制可能な音響出力装置を提供することを目的とする。
【課題を解決するための手段】
【０００９】
本発明は、筐体と、前記筐体の内部に配置される共に、音出力面を有するスピーカと前記スピーカを前記出力面が露出するように収容するボックス部材とを有するスピーカボックスと、を備え、前記ボックス部材は、第１ケース部材と、シール部材と、前記シール部材を間に挟んで前記第１ケース部材と一体的に結合される第２ケース部材とを有すると共に、前記シール部材が前記筐体に連結されることで該筐体と連結されることを特徴とする音響出力装置に関する。
【００１０】
また、前記シール部材は、前記第１ケース部材と前記第２ケース部材との少なくとも一方を構成する材料よりも制振性が高い材料で構成されることが好ましい。
【００１１】
また、前記第１ケース部材と前記第２ケース部材とは、互いに脱離可能に結合されることが好ましい。
【００１２】
また、前記シール部材は、前記ボックス部材の外部に延出する延出部を有すると共に、前記延出部において前記筐体と連結されることが好ましい。
【００１３】
また、前記第１ケース部材における前記シール部材に当接する第１当接面は、該第１当接面と平行な方向に窪んだ第１凹部を有し、前記第２ケース部材における前記シール部材に当接する第２当接面は、該第２当接面と平行な方向に窪み、該第２ケース部材が前記第１ケース部材と結合された状態において前記第１凹部に対応するように形成される第２凹部を有し、前記シール部材は、前記第１凹部と第２凹部とにより形成される前記ボックス部材の外面から延出する延出部を有すると共に、前記延出部において前記筐体と連結されることが好ましい。
【発明の効果】
【００１４】
本発明によれば、スピーカボックスをシール性向上のために用いられるシール部材を介して筐体に連結することで、スピーカからの音響出力により生じる振動が筐体に伝導されることを抑制化可能な音響出力装置を提供することを目的とする。
【発明を実施するための最良の形態】
【００１５】
以下、本発明の実施形態を、図面を参照して説明する。なお、以下、携帯端末装置として携帯電話機について説明するが、本発明はこれに限定されるものではなく、情報携帯端末（ＰＤＡ）、ノートパソコン、デジタルカメラ、小型オーディオプレーヤー等の他の携帯端末装置であってもよい。また、音響出力装置として、ドーム型で上面に携帯端末装置が載置可能なクレードルについて説明するが、本発明はこれに限定されるものではなく、他の形状や、携帯端末装置を載置する態様が異なるクレードル等であってもよい。
【００１６】
図１により、音響システム１について説明する。図１は、音響システム１の外観斜視図を示す。
図１に示すように、本実施形態における音響システム１は、音響出力装置としてのドーム型のクレードル３と、携帯端末装置としての折り畳み型の携帯電話機２とを備える。携帯電話機２は、折り畳まれた状態で、クレードル３の上面に形成される載置部３１に挿入されるようにして載置される。
【００１７】
図２及び図３により、携帯電話機２について説明する。図２は、携帯電話機２における開かれた状態の外観斜視図を示す。図３は、携帯電話機２における折り畳まれた状態の外観斜視図を示す。
【００１８】
図２に示すように、携帯電話機２は、平面形状が矩形状をした操作部側筐体２１と、平面形状が矩形状をした表示部側筐体２２と、を備える。操作部側筐体２１は、折り畳んだ状態で表示部側筐体２２と向かい合う面である内側面２１ａに配置される内側操作ボタン群２４と、携帯電話機２の使用者が通話時に発した音声が入力される音声入力部２６と、リンガ音や音楽情報等を出力するための不図示のスピーカとを備える。
【００１９】
内側操作ボタン群２４は、各種設定や電話帳機能やメール機能等の各種機能を作動させるための機能設定操作ボタン２４ａと、電話番号の数字やメール等の文字等を入力するための入力操作ボタン２４ｂと、各種操作における決定やスクロール等を行うと共に、再生する楽曲の選択や決定を行う決定操作ボタン２４ｃと、から構成される。
【００２０】
また、操作部側筐体２１の内側面２１ａとは反対側の面である外側面２１ｂに配置される不図示のバッテリと、不図示の携帯電話機側端子群とを備える。携帯電話機側端子群は、音響信号を出力する音響信号出力端子と、後述するクレードル３の増幅部を制御する制御信号を出力する制御信号出力端子と、充電端子と、グランド端子と、から構成される。
【００２１】
表示部側筐体２２は、折り畳んだ状態で操作部側筐体２１と向かい合う面である内側面２２ａに配置される、各種情報を表示するための液晶ディスプレィや有機ＥＬディスプレィ等の内側表示部２７と、通話の相手側の音声を出力する音声出力部２９と、を備える。
【００２２】
また、操作部側筐体２１の上端部と表示部側筐体２２の下端部とは、ヒンジ機構２３を介して開閉可能に連結されている。携帯電話機２は、ヒンジ機構２３を介して連結された操作部側筐体２１と表示部側筐体２２とを相対的に回転（回動）することにより、操作部側筐体２１と表示部側筐体２２とが互いに開いた状態（開放状態）にしたり、操作部側筐体２１と表示部側筐体２２とを折り畳んだ状態（折畳み状態）にしたりできる。
【００２３】
図３に示すように、携帯電話機２は、折り畳んだ状態において外側に配置される外側操作ボタン群２５と、表示部側筐体２２の外側面２２ｂの略中央に配置される外側表示部２８と、を備える。外側操作ボタン群２５は、表示部側筐体２２の外側表示部２８を囲むように配置され、各種操作における決定やスクロール等を行うと共に再生する楽曲の選択や決定を行う決定操作ボタン２５ａと、各種設定や電話帳機能やメール機能等の各種機能を作動させるための機能設定操作ボタン２５ｂ、２５ｃと、を備える。ここで、外側操作ボタン群２５と、外側表示部２８とは、図１に示すクレードル３に載置された状態おいても外側に露出される。なお、本実施形態において、いわゆる折り畳み型の携帯電話装置の形態を示しているが、本発明に係る携帯電話装置の形態としては特にこれに限られない。
【００２４】
図４から図９により、クレードル３及びスピーカボックス５００について説明する。図４は、クレードル３の斜視図を示す。図５は、クレードル３のスピーカボックス５００を除く内部構造を説明する断面図を示す。図６は、クレードル３の構造を説明する分解斜視図を示す。図７は、スピーカボックス５００の外観斜視図を示す。図８は、スピーカボックス５００の構造を説明する分解斜視図を示す。図９は、シール部材５３０の斜視図を示す。
【００２５】
図４に示すように、クレードル３は、携帯電話機２を載置する凹状の載置部３１と、載置部３１の底面３３から同じ高さに配置されるクレードル側端子群４１と、を備える。ここで、携帯電話機２は、図３における載置面２００が底面３３に当接するように載置されると共に、操作部側筐体２１の外側面２１ｂがクレードル側端子群４１側に向くようして載置される。
【００２６】
図５に示すように、クレードル３は、内部に配置される図５において不図示のスピーカボックス５００と、後述するスピーカ５４９の音出力面５５０から出力される音波を外方に放音する複数のスピーカ孔５１とを備える。また、クレードル３は、内部に配置されクレードル側端子群４１を保持する保持部材３２を備える。
【００２７】
クレードル側端子群４１は、音響信号入力端子４１ａと、制御信号入力端子４１ｂと、給電端子４１ｃと、グランド受け端子４１ｄと、により構成される。音響信号入力端子４１ａと、制御信号入力端子４１ｂとは、開口部４５ａから突出するように配置され、給電端子４１ｃと、グランド受け端子４１ｄとは開口部４６ａから突出するように配置される。
【００２８】
また、それぞれの端子は、針金状の部材を折り曲げて一方側に突出するように形成されると共に、それぞれの端子部分と連続する所定部が固定軸５３の外周に巻かれるようにして配置される。これにより、それぞれの端子は、固定軸５３を固定点として弾性変形し、いわゆるバネ端子として機能する。
【００２９】
突起部４０は、凹状の載置部３１における底面に形成される突起用開口部４０ａから突出可能に配置され、クレードル側端子群４１は、載置部３１の側面に形成される端子用開口群４１０から突出可能に配置される。また、保持部材３２は、突起部４０が載置部３１の底面から突出する方向に不図示の付勢部材により付勢される。
【００３０】
つまり、携帯電話機２をクレードル３における凹状の載置部３１に挿入するように載置することで、携帯電話機２の載置面２０が、載置部３１の底面３３に突出して配置される突起部４０をクレードル３の内部側に押し下げる。これにより、保持部材３２における突起部４０側が下方向に回動軸４９を中心に回動すると共に、突起部４０における反対側の端部が上方向に回動する。この回動動作により、クレードル側端子群４１は、載置部３１の側面から載置部３１内に突出して、携帯電話機側端子群にそれぞれ電気的に接続される。
【００３１】
図６に示すように、クレードル３は、筐体６００と、筐体６００の内部に配置されるスピーカボックス５００とを備える。具体的には、クレードル３は、筐体６００を構成するドーム状ケース６００Ａと、円板状ケース６００Ｂと、スピーカボックス５００とを備える。そして、スピーカボックス５００は、後述のシール部材５３０の一部である延出部５３３ａ、５３３ｂにおいて、筐体６００を構成するドーム状ケース６００Ａに固定される。
【００３２】
ドーム状ケース６００Ａは、スピーカボックス５００を収納する収納部６１０と、スピーカボックス５００を固定するネジ８１０ａ、８１０ｂが挿入されるネジ孔８００ａ、８００ｂと、円板状ケース６００Ｂを固定するネジ６５１ａ、６５１ｂ、６５１ｃ、６５１ｄが挿入されるネジ穴６５０ａ、６５０ｂ、６５０ｃ、６５０ｄとを備える。
【００３３】
円板状ケース６００Ｂは、スピーカボックス５００から露出するスピーカ５４９の音出力面５５０に対向した位置に形成される複数のスピーカ孔５１と、該第円板状ケース６００ｂをドーム状ケース６００Ａに取り付けるネジ６５１ａ、６５１ｂ、６５１ｃ、６５１ｄａが挿通される孔部６５２ａ、６５２ｂ、６５２ｃ、６５２ｄを備える。
【００３４】
図７又は図８に示すように、スピーカボックス５００は、板状の第１ケース部材５１０と、中空部５２９を有する第２ケース部材５２０と、第１ケース部材５１０と第２ケース部材５２０との当接面同士の間に配置されるシール部材５３０と、スピーカ５４９とを備える。言い換えると、スピーカボックス５００は、樹脂製の第１ケース部材５１０と樹脂製の第２ケース部材５２０とがブチルゴム製のシール部材５３０を間に挟んで一体的に結合される。詳細には、スピーカボックス５００は、第１ケース部材５１０とシール部材５３０との間に接着剤を配置（塗布）すると共に、第２ケース部材５２０とシール部材５３０との間に接着剤を配置（塗布）して一体的に密閉性が高くなるように結合されて形成される。そして、上述のように、第１ケース部材５１０に形成される開口５５１から音出力面５５０が露出するようにスピーカ５４９を収容する。
【００３５】
第１ケース部材５１０は、曲線状の外周を有する半円状であって、半円の直径方向に延びる辺が曲線側にコの字状に窪んだ形状の板状の部材である。第１ケース部材５１０は、中央部に形成されるスピーカ５４９の音出力面５５０を露出させるための開口５５１と、曲線状の外周に形成される第１凹部５１３ａ、５１３ｂ及び第２凹部５１４ａ、５１４ｂを備える。
【００３６】
第１凹部５１３ａ、５１３ｂは、曲線状の外周における端部側に形成され、曲線が膨らむ方向と反対側に窪む凹部である。言い換えると、第１凹部５１３ａ、５１３ｂは、第１ケース部材５１０におけるシール部材５３０に当接する当接面５１０Ａと平行な平面方向における中央部側に窪んだ形状である。第１凹部５１３ａ、５１３ｂを図７における上面から見た場合、後述する延出部５３３ａ、５３３ｂ及びネジ８１０ａ、８１０ｂが露出している。
【００３７】
第２凹部５１４ａ、５１４ｂは、第１凹部５１３ａ、５１３ｂと同様に、曲線状の外周における端部側に形成され、曲線が膨らむ方向と反対側に窪む凹部である。言い換えると、第２凹部５１４ａ、５１４ｂは、第１ケース部材５１０におけるシール部材５３０に当接する当接面５１０Ａと平行な平面方向における中央部側に窪んだ形状である。ただし、第２凹部５１４ａ、５１４ｂを図７における上面から見た場合でも、シール部材５３０から延出する部分等は露出されていない。
【００３８】
第２ケース部材５２０は、スピーカ５４９を収納する中空部５２９を有し、一方が開口されたケース部材である。第２ケース部材５２０における第１ケース部材５１０側の端面は、第１ケース部材５１０の外周と同じ形状である。つまり、第１凹部５１３ａ、５１３ｂに対応するように形成された第１凹状側面部５２３ａ、５２３ｂと、第２凹部５１４ａ、５１４ｂに対応するように形成された第２凹状側面部５２４ａ、５２４ｂとを有する。
【００３９】
ここで、第１凹状側面部５２３ａ、５２３ｂを図７における下面から見た場合、後述する延出部５３３ａ、５３３ｂが露出する。言い換えると、第１ケース部材５１０の第１凹部５１３ａ、５１３ｂと第１凹状側面部５２３ａ、５２３ｂとにより形成されるドーム状の頂点側に延びるように外面に形成される凹部において、この凹状の外面からシール部材５３０の一部が延出している。
【００４０】
図８及び図９に示すように、シール部材５３０は、第２ケース部材５２０の端面形状と同様の形状を有する。言い換えると、第１ケース部材５１０の外周と同様の外形を有する環状の部材である。そして、シール部材５３０は、第１凹部５１３ａ、５１３ｂに対応する位置に形成される延出部５３３ａ、５３３ｂと、第２凹部５１４ａ、５１４ｂに対応する位置に形成される凹部５３４ａ、５３４ｂとを有する。また、延出部５３３ａ、５３３ｂには、ネジ８１０ａ、８１０ｂが挿通される孔８１１ａ、８１１ｂが形成される。
【００４１】
図６から図８に示すように、延出部５３３ａ、５３３ｂは、上述の第１凹部５１３ａ、５１３ｂと第１凹状側面部５２３ａ、５２３ｂとにより形成される筐体６００の外面から露出して配置される。この露出した延出部５３３ａ、５３３ｂに形成される孔８１１ａ、８１１ｂを挿通したネジ８１０ａ、８１０ｂは、図６に示すネジ孔８００ａ、８００ｂに螺合される。
【００４２】
つまり、スピーカボックス５００は、シール部材を介して第１ケース部材５１０と第２ケース部材５２０とを密閉性の高い状態で一体的に結合して形成される。また、スピーカボックス５００は、図６に示すように、シール部材５３０の一部である延出部５３３ａ、５３３ｂを介して筐体６００に連結される。つまり、スピーカボックス５００は、筐体６００の内部に、延出部５３３ａ、５３３ｂを除く他の部分は筐体に当接しない状態で収納配置される。
【００４３】
次いで、スピーカボックス５００に音出力面５５０を露出した状態で収納されるスピーカ５４９から音声が出力された場合の振動の伝導について説明する。
【００４４】
携帯電話機２が載置された状態において、携帯電話機２から出力される音響信号及び音響制御信号に基づいて、スピーカ５４９は音声を出力する。この出力された音声は、筐体６００の底面を構成する円板状ケース６００Ｂに形成される複数のスピーカ孔５１から外部に放音される。
【００４５】
このスピーカ５４９が音声を出力することで生じる振動は、スピーカボックス５００の外面を構成する第１ケース部材５１０及び第２ケース部材５２０に伝導される。
【００４６】
ここで、スピーカボックス５００は、延出部５３３ａ、５３３ｂにおいて、筐体６００に固定される。このように制振性が高いシール部材５３０の一部である延出部５３３ａ、５３３ｂにおいて筐体６００と固定されるので、スピーカボックス５００からの振動は筐体６００に伝導されにくい。
【００４７】
具体的には、第１ケース部材５１０を構成する樹脂及び第２ケース部材５２０を構成する樹脂よりも制振性が高いブチルゴムにより構成されるシール部材５３０の一部を介して筐体６００と連結されるので、第１ケース部材５１０や第２ケース部材５２０の一部を筐体６００に直接連結した場合に比べて、スピーカボックス５００からの振動が筐体６００に伝導されることが抑制される。
【００４８】
本実施形態によれば、スピーカボックス５００をシール性向上のために用いられる制振性の高い部材により形成されるシール部材５３０の一部を介して筐体に連結することで、スピーカボックス５００の密閉性を高めると共に、スピーカ５４９の音出力面５５０からの音声出力により生じる振動が筐体６００に伝導されることを抑制できる。つまり、スピーカ５４９から出力される音声の質を向上させると共に、いわゆる箱鳴りやビビリ音の発生を抑制できる。
【００４９】
また、本実施形態によれば、シール部材５３０によりスピーカボックス５００の密閉性の向上と、筐体６００への振動の伝導を抑制しているので、従来、複数の部材により達成していたスピーカボックス５００の密閉性の向上と制振性の向上とを一の部材により達成できるので、部品コストや組み立て作業の負担を軽減できる。
【００５０】
以上、本形態の好適な実施形態について説明したが、本発明は上述した実施形態に限定されることなく種々の形態で実施することができる。例えば、本実施形態において、ネジによりスピーカボックス５００を筐体６００に取り付けているいが、これに限定されず、ボス構造により、スピーカボックス５００を筐体６００に取り付けてもよい。具体的には、ドーム状ケース６００Ａにボス孔を形成すると共に、シール部材５３０の延出部５３３ａ、５３３ｂに凸状のボス取り付け部を形成する。そして、ボス孔に延出部５３３ａ、５３３ｂに形成された凸状のボス取り付け部を嵌合させることで、スピーカボックス５００を筐体６００に取り付けることができる。
【００５１】
また、本実施形態において、シール部材５３０は、ブチルゴムにより形成されるが、これに限定されず、他の物質により構成されるゴム等の制振性の高い部材であれば特に限定されない。
【００５２】
また、本実施形態において、シール部材５３０を間に挟んで第１ケース部材５１０と第２ケース部材５２０とを接着剤により固定しているが、これに限定されず、ネジ等の部材により脱離可能に固定してもよく、所定の部材により第１ケース部材５１０と第２ケース部材５２０とを上下方向から挟み込むようにして脱離可能に固定してもよく、また、筐体６００の底部を構成する円板状ケース６００Ｂを該円板状ケース６００Ｂが第１ケース部材５１０を押圧するように取り付けることで脱離可能に固定してもよい。このような方法で固定した場合、スピーカボックス５００の解体が容易になる。これにより、スピーカ５４９の修理や交換を容易に行うことができる。また、更には、組み立て自体も容易になるので、作業負担や特別な装置が不要であるという利点がある。例えば、溶着で固定する場合に比べて、振動溶着装置が不要であるとい利点がある。
【００５３】
その他、本実施形態における延出部を有するシール部材は、例えば、ハードディスク等の制振性が必要な電子機器にも好適に利用することができる。この場合における取り付け構造は、上述のクレードルにおける取り付け構造を参照することができる。なお、各ケース部材５１０、５２０の各々にシール部材５３０を露出させるための凹部５１３ａ、５１３ｂ、５２３ａ、５２３ｂを設けたが、凹部を設ける構成に限定されずに、スピーカボックスをシール部材を介して筐体に連結する構成であればよい。
【図面の簡単な説明】
【００５４】
【図１】音響システム１の外観斜視図を示す。
【図２】携帯電話機２における開かれた状態の外観斜視図を示す。
【図３】携帯電話機２における折り畳まれた状態の外観斜視図を示す。
【図４】クレードル３の斜視図を示す。
【図５】クレードル３のスピーカボックス５００を除く内部構造を説明する断面図を示す。
【図６】クレードル３の構造を説明する分解斜視図を示す。
【図７】スピーカボックス５００の外観斜視図を示す。
【図８】スピーカボックス５００の構造を説明する分解斜視図を示す。
【図９】シール部材５３０の斜視図を示す。
【符号の説明】
【００５５】
１        音響システム
２        携帯電話機
３        クレードル
５００    スピーカボックス
５１０    第１ケース
５２０    第２ケース
５３０    シール部材
５３３ａ  延出部
５３３ｂ  延出部
５４９    スピーカ
５５０    音出力面
６００    筐体
【図１】
2008252362.tif 000003
【図２】
2008252362.tif 000004
【図３】
2008252362.tif 000005
【図４】
2008252362.tif 000006
【図５】
2008252362.tif 000007
【図６】
2008252362.tif 000008
【図７】
2008252362.tif 000009
【図８】
2008252362.tif 000010
【図９】
2008252362.tif 000011